(57)【特許請求の範囲】
【請求項１】
引出し式のスライド棚板上に商品を陳列して庫内に設置した特定の商品陳列棚を閉鎖するための棚閉鎖カバーであり、前記引出し式のスライド棚板の周域を包囲してショーケース外方からの視界を遮るカバー部材にフックを設け、前記引出し式のスライド棚板を引き出した状態で、該フックを棚板の後端に掛け止めした後、前記引出し式のスライド棚板を庫内押込んで格納位置に自動ロックさせることでカバー部材を棚閉鎖位置に掛止保持するようにしたことを特徴とするショーケースの棚閉鎖カバー。
【請求項２】
請求項１に記載の棚閉鎖カバーにおいて、カバー部材が前面板と左右の側面板の三面からなる折り畳み式の衝立板になり、該カバー部材を引出し式のスライド棚板の周縁に沿って立て、この位置でカバー部材の左右側面板の後端に設けたフックをスライド棚板の後端に掛止して棚を閉鎖するようにしたことを特徴とするショーケースの棚閉鎖カバー。
【発明の詳細な説明】
【技術分野】
【０００１】
本発明は、店舗に据付けて一般用医薬品に分類されている栄養ドリンクなどの商品を陳列販売するショーケースに適用し、薬剤師，登録販売者の不在時に前記商品を陳列した商品陳列棚を閉鎖するために使用する棚閉鎖カバーおよびその取付け構造に関する。
【背景技術】
【０００２】
一般用医薬品の販売規制緩和に伴う薬事法改正により、現在では一般用医薬品（大衆薬）の一部が薬剤師，もしくは登録販売者を配置することでコンビニエンスストアなどでも販売できるようになっている。この薬事法の改正により、最近ではコンビニエンスストアなどでも店内の保冷ショーケースを利用して通常の清涼ドリンク商品のほかに、ショーケースの庫内に指定した医薬品陳列コーナーに一般用医薬品に分類されている栄養，強壮ドリンク剤、および胃腸薬，風邪薬の内服液などの商品を陳列して販売する店舗が増える傾向にある。
【０００３】
ところで、新しい改正薬事法では、医薬部外品を除き、第二，第三類医薬品に分類されている栄養，強壮ドリンク剤などについては、その薬品をリスク分類別に分けて陳列する設備に加えて、購入者に薬品の情報を提供する薬剤師，登録販売者が不在な時は医薬品の陳列設備を閉鎖することが義務付けられている。
【０００４】
一方、昼夜２４時間営業するコンビニエンスストアなどでは薬剤師を常駐配置することが困難であることから、薬剤師，登録販売者が不在な時間帯には医薬品を陳列した設備（ショーケースの指定棚）をカバーで覆うなどして閉鎖し、客が商品を直接手に取ることができないような対策を講じる必要がある。
【０００５】
そこで、一部の店舗で実施している例として、ショーケースの庫内に設けた巻取り式の棚カバー（例えば、特許文献１参照）を利用し、薬剤師，登録販売者が不在な時間帯には医薬品の商品を陳列した棚に対し、その前面に前記棚カバーを引出して錠前を掛ける。あるいは、医薬品の商品を扉付きショーケースに陳列しておき、扉に錠前を掛けて閉鎖するなどの方法が行われている。
【０００６】
なお、コンビニなどの店舗で使用される多段式のオープンショーケースには、庫内の商品陳列棚として商品の補充作業が楽に行えるような引出し式のスライド棚を採用したものが広く普及している（例えば、特許文献２参照）。
【先行技術文献】
【特許文献】
【０００７】
【特許文献１】特開平１１−３７６３７号公報
【特許文献２】特開２０００−１５７３７８号公報
【発明の概要】
【発明が解決しようとする課題】
【０００８】
ところで、前記のような庫内に棚カバー（特許文献１），扉を備えてないオープンショーケースで医薬品に分類されている栄養ドリンクなどの商品を陳列販売する場合には専用の棚カバーを別途用意し、薬剤師，登録販売者の不在時には医薬品の商品陳列棚を棚カバーで閉鎖する必要があるが、この棚カバーに錠前を掛けて医薬品の陳列棚を閉鎖する方法は、棚カバーの取付け，取外し、錠前の施錠，解錠に手間がかかる問題がある。
【０００９】
そこで、本発明は、ショーケースの庫内に設置した引出し式スライド棚の機能を活かして、医薬品に分類されている商品を陳列した棚を簡単な作業で閉鎖できるようにしたショーケースの棚閉鎖カバーを提供することを目的とする。
【課題を解決するための手段】
【００１０】
上記目的を達成するために、店舗に据付けて一般医薬品に分類されている栄養ドリンクなどの商品を陳列販売するショーケースに適用し、薬剤師，登録販売者の不在時に引出し式のスライド棚板上に商品を陳列して庫内に設置した特定の商品陳列棚を閉鎖するための棚閉鎖カバーであり、本発明によれば、前記引出し式のスライド棚板の周域を包囲してショーケース外方からの視界を遮るカバー部材にフックを設け、前記引出し式のスライド棚板を引き出した状態で、該フックを棚板の後端に掛け止めした後、前記引出し式のスライド棚板を庫内押込んで格納位置に自動ロックさせることでカバー部材を棚閉鎖位置に掛止保持するものとし（請求項１）、その具体的な態様として、前記カバー部材が前面板と左右の側面板の三面からなる折り畳み式の衝立板になり、該カバー部材を引出し式のスライド棚板の周縁に沿って立てた上で、カバー部材の左右側面板の後端に設けたフックを棚板の後端に掛止して棚板を閉鎖するようにする（請求項２）。
【発明の効果】
【００１１】
上記構成の棚閉鎖カバーによれば、医薬品の商品を陳列したショーケースの商品陳列棚を簡単な作業で錠前を使わずに閉鎖することができる。すなわち、前記商品陳列棚のスライド棚板を前方に引き出した状態で、この棚板の周縁にカバー部材をセットして棚板の後端にフックを掛止し、再びスライド棚板を庫内に押込んで格納位置に自動ロックすることにより、ショーケースの前方から棚閉鎖カバーのカバー部材を取り外して商品を取り出すことができず、しかもこのカバー部材がショーケース外方からの視界を遮って棚に陳列した商品（医薬品）を目隠しする。これにより、医薬品の商品を改正薬事法の規定に合わせて安全に管理することかできる。
【００１２】
また、棚閉鎖カバーを外す場合には前記と逆な作業手順で簡単取り外すことができ、かつ折り畳み式のカバー部材は場所を取らずに保管できる。
【図面の簡単な説明】
【００１３】
【図１】本発明の実施例による棚閉鎖カバーをショーケースの商品陳列棚にセットする作業手順の説明図であり、（ａ）はショーケースの庫内最上段の棚に棚閉鎖カバーをセットした状態の側面図、（ｂ），（ｃ），（ｄ）はそれぞれ庫内から前方に引出したスライド棚板にカバー部材をセットする直前の状態、棚板にカバー部材をセットした状態、およびスライド棚板を庫内に押し込んだ棚閉鎖状態の側面図である。
【図２】図１における商品陳列棚，および棚閉鎖カバーの斜視図であって、（ａ）はスライド棚板にカバー部材をセットする直前の状態，（ｂ），（ｃ）はそれぞれ図１（ｃ），（ｄ）の状態に対応する図である。
【図３】図２（ｃ）における矢視Ａ部の拡大図である。
【図４】図３の後端面図である。
【発明を実施するための形態】
【００１４】
以下、本発明の実施の形態を図１〜図４に示す実施例に基づいて説明する。まず、図１（ａ）において、１は多段式の冷蔵オープンショーケース、２は冷気循環通風路、３は冷却器、４は庫内ファン、５は上下段に並べてショーケースの庫内に設置した引出し式の商品陳列棚、６は棚閉鎖カバーである。ここで、前記の引出し式の商品陳列棚５は、例えば先記の特許文献１に開示されているものと同様なものであり、左右一対の棚ブラケット５ａと、該棚ブラケット５ａにレール機構５ｃ（図４参照）を介して搭載支持したスライド棚板５ｂからなり、このスライド棚板５ｂを前方への引出し位置から庫内に押し込むと自動的に格納位置にロックされる。
【００１５】
なお、図示のショーケースでは庫内の最上段に並ぶ商品陳列棚５を一般医薬品の陳列棚に指定し、この商品陳列棚に第二，第三類医薬品に分類されている栄養ドリンクなどの商品を陳列して販売するようにしている。そして、店舗の営業中に薬剤師，登録販売者が不在となる時間帯では、前記医薬品の商品を陳列した最上段の商品陳列棚に対し、後記のように棚閉鎖カバー６をセットして該陳列棚を閉鎖するようにする。
【００１６】
次に棚閉鎖カバー６の構造，および商品陳列棚５へのセット手順を説明する。図２で示すように棚閉鎖カバー６は、薄鋼板，プラスチック板などで作られた前面板６ａと左右の側面板６ｂの間を蝶番６ｃで折り畳み可能に結合した衝立構造のカバー部材に対し、その左右側面板６ｂの後端下部に鉤形のフック７を取付けた構成になる。なお、この棚閉鎖カバー６は、ショーケース１の庫内最上段に配置した商品陳列棚５の外形寸法に合わせてカバー部材の前面板６ａの横幅，側面板６ｂの奥行き寸法を設定し、カバー部材の高さは最上段の商品陳列棚５とショーケース本体の天井部との間の空間高さに対応して設定しておくようにする。
【００１７】
そして、薬剤師，登録販売者が不在な時間帯にこの商品陳列棚５に棚閉鎖カバー６をセットして棚を閉鎖するには、まず折り畳んでいた棚閉鎖カバー６の前面板６ａ，側面板６ｂを図２のような展開状態に広げる。次に、図１（ｂ）のようにスライド棚板５ｂを前方に引出した状態（行程I）で、棚閉鎖カバー６のカバー部材をスライド棚板５ｂの外周縁に沿って棚板の上に載置し（行程II）、続いて図１（ｃ）のようにカバー部材を前方に若干ずらしてフック７をスライド棚板５ｂの後端に引っ掛ける（行程III）。この状態でスライド棚板５ｂを図１（ｄ）のように庫内に押し込むと棚板は格納位置に自動ロックされ（特許文献１参照）、これで商品（医薬品）を陳列した最上段の商品陳列棚５が閉鎖された状態となる。
【００１８】
この棚閉鎖状態では、棚閉鎖カバー６のカバー部材が視界を遮って前記棚の上に陳列した商品を目隠しする。また、ショーケース１の前方から棚閉鎖カバー６を取り外して棚上に並ぶ商品を取り出すこともできず、これにより医薬品販売制度の規定に合わせて医薬品に分類された商品を適正に管理することができる。
【００１９】
なお、図示実施例ではショーケース１の庫内最上段の商品陳列棚５を医薬品の陳列棚に指定しているが、他の棚段を医薬品の陳列棚に指定して棚閉鎖カバー６を適用することも可能である。
【符号の説明】
【００２０】
１    ショーケース
５    商品陳列棚
５ａ  棚ブラケット
５ｂ  スライド棚板
６    棚閉鎖カバー
６ａ  前面板
６ｂ  側面板
６ｃ  蝶番
７    フック
【図１】
0005668498.tif 000002
【図２】
0005668498.tif 000003
【図３】
0005668498.tif 000004
【図４】
0005668498.tif 000005